(57)【要約】【課題】  従来の双方向保持型ソレノイドは、コイル２個と磁石固定極が、全て直線上に配置されることから出力軸方向に長く、狭い場所に搭載できないという問題があった。また、可動鉄心がケース内部に封入されており、動作ストロークは調整不能であるという問題があった。さらに、自動車におけるヘッドライトの配光調整をする上で、ヘッドライトの出し入れをする機構としてソレノイドを使用する場合、従来の出力軸方向の長いソレノイドでは、バルブのライトユニット後部が長くなり、取り付け不能の車種があるという問題があった。【解決手段】  ２個のコイル２ａ、２ｂと２個の磁石４ａ、４ｂを用い双方向動作を可能とすると共に、双方向に無通電時に保持力を持ち、力の出力方向に対して厚みを薄くするように並列に配置した双方向保持フラッパー型ソレノイドを利用することで解決する。【選択図】図１
2005056955.tif 000002
【特許請求の範囲】
【請求項１】
２個のコイルと２個の磁石を用い双方向動作を可能とすると共に、双方向に無通電時に保持力を持ち、力の出力方向に対して厚みを薄くするように並列に配置したことを特徴とする双方向保持フラッパー型ソレノイド。
【請求項２】
双方向保持フラッパー型ソレノイドの薄さを利用して、取り付けの制約を無くしたバルブ移動型ヘッドライトユニット。
【発明の詳細な説明】
【技術分野】
【０００１】
本発明は、双方向保持型ソレノイドを使用する機構で、軸の移動方向にスペースがない場合、例えば自動車のヘッドライトバルブにおいて、配光調整をバルブの出し入れで行う機構を採用した時などに対応できるように軸方向の長さを薄くした双方向保持フラッパー型ソレノイドに関するものである。
【背景技術】
【０００２】
従来、図４に示すようにフレーム８内にコイル１１ａ、磁石１２、コイル１１ｂが出力軸１３の動作方向に並んで設けられ、ソレノイド全長が長くなると共に出力軸１３が固定極１０ａ、１０ｂから外れない長さが必要であることから、動作ストロークが長い場合には後部から出力軸１３が飛び出すので、さらにスペースが必要になる。
可動鉄心１４と固定極１０ａ、１０ｂのテーパーは双方向保持フラッパー型ソレノイドの凸部とへこみ同様、可動鉄心１４の位置が移動中にソレノイドに発生する力を出来るだけ均一化する為の物で、２個のコイルとそのコイル中間に磁石を配置して、双方向に保持できるようにした双方向保持型ソレノイドが存在している。なお、９は上蓋を示す。
【発明の開示】
【発明が解決しようとする課題】
【０００３】
解決しようとする課題は、従来の双方向保持型ソレノイドは、コイル２個と磁石固定極が、全て直線上に配置されることから出力軸方向に長く、狭い場所に搭載できないという問題があった。また、可動鉄心がケース内部に封入されており、動作ストロークは調整不能であるという問題があった。さらに、自動車におけるヘッドライトの配光調整をする上で、ヘッドライトの出し入れをする機構としてソレノイドを使用する場合、従来の出力軸方向の長いソレノイドでは、バルブのライトユニット後部が長くなり、取り付け不能の車種があるという問題があった。
【課題を解決するための手段】
【０００４】
上記課題を解決するための本発明の第１発明は、請求項１に記載された通りの双方向保持フラッパー型ソレノイドであり、次のようなものである。
２個のコイルと２個の磁石を用い双方向動作を可能とすると共に、双方向に無通電時に保持力を持ち、力の出力方向に対して厚みを薄くするように並列に配置した構成である。
【０００５】
上記課題を解決するための本発明の第２発明は、請求項２に記載された通りのバルブ移動型ヘッドライトユニットであり、次のようなものである。
双方向保持フラッパー型ソレノイドの薄さを利用して、取り付けの制約を無くしたバルブ移動型ヘッドライトユニットである。
【発明の効果】
【０００６】
本発明に係る双方向保持フラッパー型ソレノイドは、上記説明のような構成であるので、以下に記載する効果を奏する。
（１）磁石を２個に分離し、且つコイル２個を並列に配置する事で、力の出力方向の長さを短くすることができる。
（２）動作ストロークの調整は、ソレノイド中央部の可動片回転軸中心を上下させることで可能である。
（３）可動片の曲げ角度を変化させることでもストローク調整は可能である。
（４）ヘッドライトユニットの後部突き出しを無くし、幅広い車種に取り付けが可能である。
【発明を実施するための最良の形態】
【０００７】
本発明の双方向保持フラッパー型ソレノイドは、平扁状に２個のコイルと２個の磁石を並列に設けて、この２個のコイルと磁石を用いて双方向動作を可能とすると共に、双方向に無通電時に保持力を持つように構成し、力の出力方向に対して、厚みを薄くしたものである。
【実施例１】
【０００８】
本発明の実施例１について、図面に基づいて詳細に説明する。
図１は、ヘッドライトユニットに取り付け可能なリンク部を有した双方向保持フラッパー型ソレノイドの側面断面図である。
略Ｌ字形を背中合わせのようにして並列に配設した比較的高さの低いフレーム１ａとフレーム１ｂを設け、このフレーム１ａとフレーム１ｂにコイルに通電していない状態では磁石４ａにより実線のごとく磁力線がループし可動片５を保持するように形成する。
このとき、固定極３ｂと可動片５は離れており、磁気ループがとぎれ、有効に働かない状態に磁石４ｂはなっている。前記可動片５は、ある角度で曲げられているのでシーソーのように動き接離するもので、この可動片５のどちらか一方に連結部材等を介してバルブ取り付け部１５を設けたものであるために、ヘッドライトの配光調整ができるものである。
可動片５を固定極３ｂに接する位置に動作させるためには、コイル２ａには磁石４ａと逆方向の磁界を発生させるように電流を流し、コイル２ｂには磁石４ｂと同方向の磁界を発生するように電流を流すことでコイル２ａによる逆方向磁界のため磁石４ａの磁力線はキャンセルされ、可動片５への保持力を失う。
コイル２ｂの発生する磁力は磁石４ｂと同方向のため、プラスに働き可動片５を固定極３ｂに吸着される。可動片５に設けた凸部と固定極３ａ、３ｂにつけたへこみはソレノイドが発生する力を、どの角度においても均一化するために設けるものである。
【０００９】
図２は上記の動作を行うための電気的な原理図である。
リレー７に通電せず、スイッチ６ｂを瞬間的に押下することで図１に示す可動片５は固定極３ｂに吸着し、スイッチ６ｂの押下終了後は磁石４ｂの磁力で保持される。
【００１０】
図３は再度固定極３ａと可動片５を吸着させる場合の、電気的な原理図である。
リレー７に通電して２つのリレー接点状態を逆にする。このリレー接点状態で、前記と同様スイッチ６ｂを瞬間的に押下すると、コイル２ａ、２ｂに流れる電流の向きが先記と逆になり、コイル両端の磁極が逆となる。
この図１から図３では磁石４ａ、４ｂの向きを合わせ、コイル２ａ、２ｂの巻き方向を逆としたが、その他、磁石の向きを逆にし、コイルの巻き方向を合わせた場合でも同様の効果を得られる。
前記で詳細に説明したソレノイドの力の出力方向が短いことを利用し、ヘッドライト後部のスペースが狭い自動車にも取り付け可能になる。
【００１１】
図５はＨ４バルブ用ヘッドライトユニットを示すもので、（ａ）は従来のヘッドライトユニット、（ｂ）は従来技術の双方向保持ソレノイドを使用したヘッドライトユニット、（ｃ）は本発明の双方向保持フラッパー型ソレノイドを取り付けた場合のヘッドライトユニットの取り付け状態を示し、ヘッドライトの裏側の突出長さを比較した図である。
双方向保持フラッパー型ソレノイドを使用した場合は、Ｈ４型など通常のヘッドライト用バルブのコネクタ寸法内に収まり、ヘッドライトユニットの取り付け制約はなくなり、この状態でヘッドライトの配光調整を行うことができるものである。
【産業上の利用可能性】
【００１２】
二輪車、三輪車、四輪車等の自動車のヘッドライトの配光調整を行う部材として、スペースが狭い場所でも適用できる。
【図面の簡単な説明】
【００１３】
【図１】本発明の一実施例に係る双方向保持フラッパー型ソレノイドを示す側面断面図である。
【図２】図１の動作を行うための電気的な原理図である。
【図３】図１の動作を他方向に吸着させる場合の電気的な原理図である。
【図４】従来技術における双方向保持ソレノイドの側面断面図である。
【図５】（ａ）従来技術における配光調整ができないヘッドライトユニットを示す側面図である。 （ｂ）従来技術における配光調整ができるヘッドライトユニットを示す側面図である。 （ｃ）本発明における一実施例である双方向保持フラッパー型ソレノイドを採用したヘッドライトユニットの切替式バルブとの関係を示す側面図である。
【符号の説明】
【００１４】
１ａ・・・・フレーム                              １ｂ・・・・フレーム
２ａ・・・・コイル                                ２ｂ・・・・コイル
３ａ・・・・固定極                                ３ｂ・・・・固定極
４ａ・・・・磁石                                  ４ｂ・・・・磁石
５・・・・可動片                                ６ａ・・・・スイッチ
６ｂ・・・・スイッチ                                ７・・・・リレー
８・・・・フレーム                                ９・・・・上蓋
１０ａ・・・・固定極                              １０ｂ・・・・固定極
１１ａ・・・・コイル                              １１ｂ・・・・コイル
１２・・・・磁石                                  １３・・・・出力軸
１４・・・・可動鉄心                              １５・・・・バルブ取り付け部
【図１】
2005056955.tif 000003
【図２】
2005056955.tif 000004
【図３】
2005056955.tif 000005
【図４】
2005056955.tif 000006
【図５】
2005056955.tif 000007